(57)【要約】【課題】書類等のシート状の収納物が、収納ファイルから脱落するのを防ぐ、簡単な封止装置を備える収納ファイルの提供。【解決手段】可撓性を有する熱可塑性樹脂材を、一対の短寸レール条の凹・凸形状にして形成した封止装置を、収納ファイルの開放辺の側縁近傍の重ね合わせられた樹脂シート間に介在させて、封止装置を強制的に嵌合・離脱することで、開放辺の一部分を封止・解除を可能にする。【選択図】図１
2016078406.tif 000002
【特許請求の範囲】
【請求項１】
二枚の樹脂シートが重合するように配置され、開放辺と閉鎖辺とにより形成され、書類等を前記開放辺の開口より挿入して保持する収納ファイルにおいて、可撓性を有する熱可塑性樹脂片を一対の短寸レール条の凹・凸形状にした袋片と脚片を形成するとともに、前記袋片の底部に陥没面を形成し、且つ前記脚片の先端部には前記陥没面に嵌合する膨出面を形成し、前記袋片と前記脚片とが強制的な嵌合・離脱が可能な封止装置を形成した封止具であって、該封止具を少なくとも一つの前記開放辺の重ね合わせられた樹脂シート間の側縁近傍に介在固着して、前記開放辺の一部分を封止・解除を可能にしたことを特徴とした封止具。
【請求項２】
二枚の可撓性を有する熱可塑性樹脂シートが重合するように配置され、開放辺と閉鎖辺とにより形成され、書類等を前記開放辺の開口より挿入して保持する収納ファイルにおいて、重ね合わせられた二枚の樹脂シートの少なくとも一つの開放辺の外縁から突出して夫々に嵌合片を延設した樹脂シートであって、前記嵌合片のそれぞれの先端側を一対の短寸レール条の凹・凸形状にして嵌合可能な袋部と脚部を形成するとともに、前記袋部の底部に陥没面を形成し、且つ前記脚部の先端部には前記陥没面に嵌合する膨出面を形成した各々の部分を折り畳んで固着し、前記脚部と前記袋部とが強制的な嵌合・離脱を可能に形成した封止装置を備える嵌合片を形成することで、前記開放辺の一部分を封止・解除を可能にしたことを特徴とした収納ファイル。
【請求項３】
前記封止装置を構成する前記陥没面の断面形状は逆Ω型、且つ前記膨出面の断面形状は前記陥没面に対応したΩ型である封止装置を備えたことを特徴とした、請求項１の封止具又は請求項２の収納ファイル。
【発明の詳細な説明】
【技術分野】
【０００１】
本発明は、書類等のシート状の収納物を保持する収納ファイルに関する。
【背景技術】
【０００２】
従来からある収納ファイルは、重合した二枚の樹脂シートを隣り合う開放辺と隣り合う閉鎖辺とに形成し、その開放辺を開口して収納物を樹脂シートの間への挿入により収納物を保持している。
【０００３】
しかしながら、この様な収納ファイルを使用するにあたって、比較的厚い収納物を挟み込んだ場合に、開放辺より不用意に脱落することがあり、これを防ぐ収納ファイルとして下の樹脂シートの開放辺の近傍に切り込みを入れ、対向する閉鎖辺側に突出した舌片を形成し、その舌片を起立させた状態において、その樹脂シートの内面と舌片との間に生ずる空間に、収納物を挿入して保持するとしている（特許文献１）収納ファイルや、開放辺の下の樹脂シートの側縁近傍に、別体の短いテープ状の係止用片を下の樹脂シートから外にはみ出して固着、または、下の樹脂シートから外にはみ出した係止用片を一体に形成し、上の樹脂シートにはその係止用片の先端部が受け入れるカットラインを形成し、上の樹脂シートの側縁近傍を覆うようにして、係止用片を折り曲げた後に先端部をカットラインに係入するとしている（特許文献２）収納ファイルが開示されている。
【先行技術文献】
【特許文献】
【０００４】
【特許文献１】特開２００６−３１２２９４号公報
【特許文献２】特開２００３−０１９８８８号公報
【発明の概要】
【発明が解決しようとする課題】
【０００５】
しかしながら、特許文献１は舌片を支持している根元部分は限られた狭い幅に形成されており、使用時における舌片の起倒動作の繰り返しにより、変形による保持力の低下や根元部分が破損の虞があるという課題がある。また、特許文献２の収納ファイルにおいては、係止用片が係入された状態での収納ファイルを使用する時に、樹脂シートの表面より係止用片部分が浮き上がっており、指や他の収納ファイルとの引っ掛かり等の虞があるとともに、カットラインへの係止用片の係入動作も煩わしい。
【０００６】
本発明は、上述したような事情に鑑みてなされたものであり、重合した二枚の樹脂シートの開放辺の側縁近傍に重ね合わせられた樹脂シート間に、可撓性を備える樹脂シート材を一対の凹・凸形状に形成した封止装置を介在させることで、互いの嵌合・離脱により強制的に開放辺の樹脂シート間の一部を封止・解除して、比較的簡単な構造で収納物の脱落を防止する封止具とその装置を用いた収納ファイルを提供することを目的とする。
【課題を解決するための手段】
【０００７】
前記目的を達成するため、本発明は、二枚の樹脂シートが重合するように配置され、開放辺と閉鎖辺とにより形成され、書類等を前記開放辺の開口より挿入して保持する収納ファイルにおいて、可撓性を有する熱可塑性樹脂片を一対の短寸レール条の凹・凸形状にした袋片と脚片を形成するとともに、前記袋片の底部に陥没面を形成し、且つ前記脚片の先端部には前記陥没面に嵌合する膨出面を形成し、前記袋片と前記脚片とが強制的な嵌合・離脱が可能な封止装置を形成した封止具であって、該封止具を少なくとも一つの前記開放辺の重ね合わせられた樹脂シート間の側縁近傍に介在固着して、前記開放辺の一部分を封止・解除を可能にしたという構成を採っている。
【０００８】
別の構成として、二枚の可撓性を有する熱可塑性樹脂シートが重合するように配置され、開放辺と閉鎖辺とにより形成され、書類等を前記開放辺の開口より挿入して保持する収納ファイルにおいて、重ね合わせられた二枚の樹脂シートの少なくとも一つの開放辺の外縁から突出して夫々に嵌合片を延設した樹脂シートであって、前記嵌合片のそれぞれの先端側を一対の短寸レール条の凹・凸形状にして嵌合可能な袋部と脚部を形成するとともに、前記袋部の底部に陥没面を形成し、且つ前記脚部の先端部には前記陥没面に嵌合する膨出面を形成した各々の部分を折り畳んで固着し、前記脚部と前記袋部とが強制的な嵌合・離脱を可能に形成した封止装置を備える嵌合片を形成することで、前記開放辺の一部分を封止・解除を可能にした構成としている。
【０００９】
また、前記封止装置を構成する前記陥没面の断面形状は逆Ω型、且つ前記膨出面の断面形状は前記陥没面に対応したΩ型である封止装置を備えた構成を採っている。
【発明の効果】
【００１０】
本発明の封止装置を備えた封止具を固着した収納ファイル及び封止装置を備えた収納ファイルは、可撓性を備えた熱可塑性樹脂材を使用して形成しており、簡単な構造で開放辺の封止と解除を可能にした安価なコストで製造可能な収納ファイルであり、簡単な操作により挿入された収納物を封止して収納ファイルよりの不用意な脱落を防止することができる。
【００１１】
本発明の封止具は、殆どの既存の収納ファイルに後付け固着可能であり、別体である封止具を単体で販売でき、使用者が必要に応じた数の封止具を任意の位置に取付けることができるという効果を有する。また、封止装置を使用した収納ファイルを複数枚以上に重ねて使用する場合は、夫々の封止装置を設ける位置を重ならないようにずらすことで、封止装置の厚みによる収納ファイルの嵩ばりを解消すると同時に、この収納ファイルをキャビネット等に保管使用した時に摘まみ出し易い効果がある。
【００１２】
さらには、収納ファイルの開放辺の側縁より外側に封止具及や嵌合片を突出した収納ファイルにおいて、封止具及や嵌合片の縦・横幅を広くすることで突出し部分の平面をインデックスとして利用できる。
【図面の簡単な説明】
【００１３】
【図１】第一実施例の収納ファイルに係る使用状態を示した正面図である。
【図２】第一実施例の封止具の斜視図であり、(ｂ)は(ａ)を変形した斜視図である。
【図３】図２(ａ)のＸ―Ｘ断面図であり、(ａ)は常態、(ｂ)は狭圧状態、(Ｃ)は摺動状態、(ｄ) は嵌合状態である。
【図４】第二実施例の収納ファイルであり、(ａ)は裁断後の状態、(ｂ)は熱加工後の状態の正面図である。
【図５】図４(ｂ)のＹ―Ｙ断面図であり、(ａ)は常態、(ｂ) は嵌合状態である。
【発明を実施するための形態】
【００１４】
本発明の第１の実施の形態を図１乃至図３により説明する。図１に示すように、収納ファイル１は、折り曲げられて重ね合わせられた２枚の樹脂シート２．２’よりなり、折り曲げによる閉鎖辺４と隣接した１辺（下辺）を容着により閉鎖辺４’として、他の隣接した２辺（上辺及び右辺）は開放辺３．３’となっている周知のクリアホルダーに、嵌合・離脱が可能な一対の凹部・凸部形状に形成された封止具５を、重ね合わされた樹脂シート２．２’間の側縁近傍に介在固着したものである。
【００１５】
本実施の形態においては、封止具５は図２(ａ)・図３に示すように、二枚の可撓性を有する熱可塑性樹脂片を加熱変形して、凹形状の袋片６と凸形状の脚片７とに形成した一対の短寸レール条の封止具５であり、上の樹脂シート２には脚片７を下の樹脂シート２’には袋片６を、開放辺３’近傍の側縁の任意な位置に、各々が互いに嵌合・離脱を可能にして樹脂シート２．２’に固着されている。
【００１６】
ここで、封止具５を構成する袋片６と脚片７との嵌合・離脱を詳しく説明する。脚片７および袋片６は熱可塑性樹脂片を加熱変形加工により、凸形状の脚片７の先端部１３には断面がΩ型状の膨出面９を有する凸条レールに形成されており、凹形状の袋片６の底部１５には脚片７の先端部１３のΩ型との嵌合・離脱が可能な断面が逆Ω型状の陥没面８を有する凹条溝に形成されている。この両片を、開放辺３’近傍の側縁の任意な位置の樹脂シート２．２’間に介在固着して、収納ファイル１を形成している。
【００１７】
脚片７と袋片６とを嵌合する時は、両片は可撓性を有しているので、両片を強制的に押圧することで形状が変化して嵌合状態になる。この嵌合から離脱する時は、夫々の樹脂シート２．２’を摘まんで離反すれば離脱される。なお、この時の嵌合力については、両片が二枚厚以上にて固着して形成されており、収納物Ｐの落下を防止するには充分な嵌合力を備えている。
【００１８】
また、図２(ｂ)の封止具５について説明すると、図２(ａ)の封止具５との相違部分は、脚片７を固着する二箇所ある平坦面の何れか一箇所の端部より延設して、両方の平坦面を覆うようにして折り畳んで、平坦面の部分を二枚厚にして容着している。これにより、封止具５を後付け用として使用する場合に、後付け作業が簡単になり耐久性が向上する。
【００１９】
封止具５の構成と使用方法を説明すると、袋片６の開口部１４は閉鎖辺４の方向に向かって平坦面が下の樹脂シート２’の内面に固着されおり、脚片７の常態での先端部１３の姿勢は開放辺３’側に所定の傾斜姿勢を維持して上の樹脂シート２の内面に脚片７の平坦面が固着されており、先端部１３は固着されていない袋片６の先端部分の表面に載置された状態に構成されている。この様な構成にすることで、比較的薄い封止具５を樹脂シート２．２’間の狭いスペースに配設することが可能となった。
【００２０】
封止具５の樹脂シート２．２’への固着方法としては、収納ファイル１としての製造過程においては、高周波融着などで取り付け可能であるが、個人が封止具５を後付けする場合には、袋片６および脚片７の平担面に接着材料を貼付（不図示）して保護シールされた製品である封止具５を用意して、接着材料を覆っている保護シールを剥がして使用する。接着する時は、袋片６と脚片７とが嵌合した状態で接着すると、双方の位置関係が正しく固着できる。
【００２１】
使用方法について図３に示すように、(ａ)の状態から封止具５が固着されている２枚の樹脂シート２．２’の場所を狭圧しながら閉鎖辺４の方向に摺動すると、先端部１３が開口部１４における段差から落下して開口部１４に臨んだ位置に変位し(ｂ)、さらに狭圧しながら先端部１３を開放辺３’ の方向に摺動し(Ｃ)、先端部１３が袋片６の底部１５に衝止して封止具５が嵌合する(ｄ)。収納物を取り出す時は、嵌合により封止された封止具５の狭持力に抗して上下の樹脂シート２．２’を相互離反して封止を解除する
【００２２】
本発明の第２の実施の形態を図４乃至図５により説明する。前記第１の実施の形態においては、嵌合・離脱が可能に形成した別体の封止具５を２枚の樹脂シート２．２’間に介在固着したが、本実施の形態は、開放辺３’側の重ね合わせられた樹脂シート２．２’の外縁から外方向に突出して嵌合片１０．１０’を延設した樹脂シート２．２’を形成し、その嵌合片１０．１０’を前記第１の実施の形態と類似した嵌合・離脱の構造を備える封止装置に形成した収納ファイル１である。なお、前述の実施例と共通する部分は符号を流用し、変更部分についてのみ符号を変更して表示する。
【００２３】
図４は(ａ)、収納ファイル１を製造する初期段階の樹脂シート２．２’であって、加熱変形加工前の裁断後の状態であり、図４(ｂ)は、加熱変形加工後の収納ファイル１である。
【００２４】
図５(ａ)・ (ｂ)は、延設された二枚の嵌合片１０．１０’の先端側を、加熱変形加工により脚部１２と袋部１１とに形成した部分を山形に折り畳んで二枚厚にして容着した後に、１０．１０’の平坦部分を上下の樹脂シート２．２’の内面に高周波融着などで、双方が嵌合可能な位置に固着されている。
【００２５】
また、嵩上げ部１６．１６’は、嵌合片１０．１０’の先端部分の断面形状をＳ字に形成して、樹脂シート２．２’の内面から嵩上げすることで収納物が外方向への移動を防止している。
【００２６】
第２の実施の形態においては、常態での脚部１２の先端部１３の姿勢は垂下状態に形成されて先端部１３が凹形状の袋部１１の開口部１４上に載置されており、脚部１２と袋部１１とを嵌合する時は、２枚の樹脂シート２．２’間に封止装置が形成されている場所を狭圧することで嵌合する。
【００２７】
ここで、嵌合・離脱の構造について説明すると、第１実施例と第２実施例の封止装置の嵌合・離脱の構造は相違しているが、第１実施例の嵌合・離脱の構造を樹脂シート２．２’の外縁から外方向に突出した嵌合片１０．１０’に形成、または、第２実施例の嵌合・離脱の構造を備える封止具５を、樹脂シート２．２’間に介在固着してもよい（不図示）。
【００２８】
以上、本発明の好適な実施形態について説明しが、本発明は上記実施形態に限定されないことは言うまでもない。たとえば、実施の形態においての陥没面と膨出面の断面形状は、Ω型形状での嵌合・離脱としているが、断面形状は他に楕円形や三角形等の形状であってもよい。
【００２９】
また、第２の実施の形態の嵌合・離脱の構造を備える封止装置を採用した場合は、一対の凹部・凸部形状を平行した二列に形成してもよい。
【００３０】
さらには、封止装置の縦幅と横幅を広くして開放辺の外縁より突出した部分に、ラベルなどを張り付けたインデックス付き収納ファイルや、この収納ファイルを同時に複数枚使用する場合は、封止装置の位置を重ならないように上下にずらしたインデックス付収納ファイルを作成してもよい。また、この収納ファイルの開放辺に対向する閉鎖辺の側縁部に閉じ代を連設した収納ファイルを作成し、これらの複数枚の収納ファイルの閉じ代部分を固着したり、閉じ代部分をリング金具に綴じたりして一冊のインデックス付き収納ホルダーとしてもよい。また、本封止装置を、外形寸法や外形形状が限定されない収納ファイルやポケットファイルなど採用してもよい。
【符号の説明】
【００３１】
１  収納ファイル
２．２’  樹脂シート
３．３’  開放辺
４．  閉鎖辺
５  封止具
６  袋片
７  脚片
８  陥没面
９  膨出面
１０．１０’  嵌合片
１１  袋部
１２  脚部
１３  先端部
１４  開口部
１５  底部
１６．１６’  嵩上げ部
Ｐ  収納物
【図１】
2016078406.tif 000003
【図２】
2016078406.tif 000004
【図３】
2016078406.tif 000005
【図４】
2016078406.tif 000006
【図５】
2016078406.tif 000007
【手続補正書】
【提出日】平成26年12月22日(2014.12.22)
【手続補正２】
【補正対象書類名】明細書
【補正対象項目名】００２８
【補正方法】変更
【補正の内容】
【００２８】
以上、本発明の好適な実施形態について説明しが、本発明は上記実施形態に限定されないことは言うまでもない。たとえば、実施の形態においての陥没面と膨出面の断面形状は、Ω型形状での嵌合・離脱としているが、断面形状は他に楕円形や三角形等の形状であってもよい。また、第１の実施の形態においての別体である係止具の形成については、シート状物に替えて全体を肉厚にして、同質の樹脂による射出成型加工にて形成してもよい。